(57)【要約】【課題】レンズを保持する移動体と移動体を保持する固定体とを繋ぐバネ部材が小型化、薄型化する場合であっても、可動体を光軸方向へ適切に移動させることが可能なレンズ駆動装置を提供すること。【解決手段】レンズ駆動装置は、レンズとともに光軸方向へ移動可能な可動体と、可動体を移動可能に保持する固定体と、可動体と固定体とを繋ぐバネ部材と、可動体を光軸方向へ駆動する駆動機構とを備えている。駆動機構は、固定体側に取り付けられる駆動用磁石と、可動体側に取り付けられる駆動用コイル１８と、駆動用コイル１８を構成する導線の端部が電気的に接続されるＦＰＣ２１とを備えている。ＦＰＣ２１の一端側は、可動体側に固定される可動体側固定部２１ａであり、ＦＰＣ２１の他端側となる固定体側固定部２１ｂと可動体側固定部２１ａとを繋ぐ接続部２１ｃは、光軸方向に折り返されて引き回されている。【選択図】図７
2011039426.tif 000002
【特許請求の範囲】
【請求項１】
レンズを保持し前記レンズの光軸方向へ移動可能な可動体と、前記可動体を前記光軸方向へ移動可能に保持する固定体と、前記可動体と前記固定体とを繋ぐバネ部材と、前記可動体を前記光軸方向へ駆動するための駆動機構とを備え、
前記駆動機構は、前記固定体側に取り付けられる駆動用磁石と、前記可動体側に取り付けられる駆動用コイルと、前記駆動用コイルを構成する導線の端部が電気的に接続されるフレキシブルプリント基板とを備え、
前記フレキシブルプリント基板の一端側は、前記可動体側に固定される可動体側固定部であり、
前記フレキシブルプリント基板の他端側と前記可動体側固定部とを繋ぐ接続部は、前記光軸方向に折り返されて引き回されていることを特徴とするレンズ駆動装置。
【請求項２】
前記接続部が前記可動体側固定部から前記レンズ駆動装置の被写体側に伸びるように引き回された後に、曲面状に略１８０°で１回折り返されて、前記フレキシブルプリント基板の他端側が前記レンズ駆動装置の反被写体側へ引き回されていることを特徴とする請求項１記載のレンズ駆動装置。
【請求項３】
前記接続部は、曲面状に略１８０°で折り返される単数または複数の屈曲部を備え、
前記屈曲部の幅の総和は、前記可動体側固定部の幅および／または前記フレキシブルプリント基板の他端側の幅よりも狭いことを特徴とする請求項２記載のレンズ駆動装置。
【請求項４】
前記接続部は、複数個の分割接続部によって構成されていることを特徴とする請求項１から３のいずれかに記載のレンズ駆動装置。
【請求項５】
前記可動体は、前記駆動用コイルが取り付けられる略筒状のコイル取付部材を備え、
前記可動体側固定部は、前記コイル取付部材の外周側に固定され、
前記導線の端部は、前記可動体側固定部に接続されていることを特徴とする請求項１から４のいずれかに記載のレンズ駆動装置。
【請求項６】
前記固定体は、前記レンズ駆動装置の側面の少なくとも一部を構成するケース体と、前記フレキシブルプリント基板の他端側に形成される電極部に接触する端子と、前記レンズ駆動装置の反被写体側に配置されるとともに前記端子が取り付けられる端子取付部材とを備え、
前記ケース体の内周面と前記端子取付部材の外周面との間で、前記電極部と前記端子とが電気的に接続されていることを特徴とする請求項１から５のいずれかに記載のレンズ駆動装置。
【請求項７】
前記駆動機構は、略柱状に形成される４個の前記駆動用磁石と、略筒状に巻回されて形成される４個の前記駆動用コイルとを備え、
前記駆動用磁石は、その長手方向が前記光軸方向と略平行になるように配置されるとともに、前記光軸方向から見たときに互いに重ならないように配置され、
４個の前記駆動用コイルのそれぞれは、その内周面が４個の前記駆動用磁石の外周面のそれぞれと所定の隙間を介して対向するように配置され、
前記駆動用磁石は、前記駆動用コイルとの対向位置で前記駆動用コイルを通過する磁束が発生するように着磁されていることを特徴とする請求項１から６のいずれかに記載のレンズ駆動装置。
【請求項８】
前記光軸方向から見たときの形状が略四角形状となる略四角柱状に形成され、
前記駆動用磁石および前記駆動用コイルは、前記レンズ駆動装置の四隅に配置され、
前記フレキシブルプリント基板の少なくとも一部は、前記レンズ駆動装置の周方向で隣り合う前記駆動用磁石および前記駆動用コイルの間に配置されていることを特徴とする請求項７記載のレンズ駆動装置。
【請求項９】
４個の前記駆動用コイルのそれぞれは、４本の前記導線のそれぞれが巻回されて形成されていることを特徴とする請求項７または８記載のレンズ駆動装置。
【請求項１０】
４個の前記駆動用コイルは、１本の導線が順次巻回されて形成されていることを特徴とする請求項７または８記載のレンズ駆動装置。
【請求項１１】
４個の前記駆動用コイルのうちの２個の前記駆動用コイルは、１本の導線が順次巻回されて形成され、残りの２個の前記駆動用コイルは、他の１本の導線が順次巻回されて形成されていることを特徴とする請求項７または８記載のレンズ駆動装置。
【請求項１２】
前記駆動機構は、略筒状に形成されるコイル取付部材の外周面に巻回される前記駆動用コイルと、前記駆動用コイルの外周面に対向するように配置される前記駆動用磁石とを備えることを特徴とする請求項１から６のいずれかに記載のレンズ駆動装置。
【請求項１３】
前記光軸方向に略直交する所定の第１方向へ前記可動体を駆動するための第２の駆動機構と、前記光軸方向と前記第１方向とに略直交する第２方向へ前記可動体を駆動するための第３の駆動機構とを備え、
前記第２の駆動機構は、前記可動体側に取り付けられる第２の駆動用コイルを備え、
前記第３の駆動機構は、前記可動体側に取り付けられる第３の駆動用コイルを備え、
前記フレキシブルプリント基板には、前記第２の駆動用コイルを構成する導線の端部と、前記第３の駆動用コイルを構成する導線の端部とが接続されていることを特徴とする請求項１から１２のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、複数のレンズを保持して光軸方向に移動する移動レンズ体と、２枚の板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する円筒状のスリーブの外周に駆動用コイルが巻回され、駆動用コイルの外周面に対向するように、４個の磁石が配置されている。
【０００３】
また、このレンズ駆動装置では、２枚の板バネのそれぞれは、光軸方向におけるスリーブの両端側のそれぞれに配置されている。スリーブの反被写体側に配置される板バネは、２個のバネ片に分割されており、２個のバネ片の一方には、駆動用コイルの巻き始め部分が接続され、２個のバネ片の他方には、駆動用コイルの巻き終わり部分が接続されている。また、２個のバネ片のそれぞれには、給電用の端子が形成されている。
【先行技術文献】
【特許文献】
【０００４】
【特許文献１】特開２００９−１２２３６０号公報
【発明の概要】
【発明が解決しようとする課題】
【０００５】
近年、携帯電話等に使用されるカメラの市場では、カメラの小型化の要求が一段と高まっている。そのため、カメラに搭載されるレンズ駆動装置の小型化の要求も一段と高まっており、レンズ駆動装置で使用される板バネは、小型化、薄型化する傾向にある。しかしながら、特許文献１に記載のレンズ駆動装置では、板バネを構成するバネ片に駆動用コイルの端部を接続する必要があるため、板バネが小型化、薄型化すると、レンズ駆動装置の組立時の、駆動用コイルの端部を板バネに接続する工程で、板バネを変形させてしまう可能性が高くなる。その結果、特許文献１に記載のレンズ駆動装置では、板バネが小型化、薄型化すると、板バネによってレンズ移動体を適切に支持することが困難になり、レンズ移動体を光軸方向へ適切に移動させることが困難になるおそれがある。
【０００６】
そこで、本発明の課題は、レンズを保持する移動体と移動体を保持する固定体とを繋ぐバネ部材が小型化、薄型化する場合であっても、可動体を光軸方向へ適切に移動させることが可能なレンズ駆動装置を提供することにある。
【課題を解決するための手段】
【０００７】
上記の課題を解決するため、本発明のレンズ駆動装置は、レンズを保持しレンズの光軸方向へ移動可能な可動体と、可動体を光軸方向へ移動可能に保持する固定体と、可動体と固定体とを繋ぐバネ部材と、可動体を光軸方向へ駆動するための駆動機構とを備え、駆動機構は、固定体側に取り付けられる駆動用磁石と、可動体側に取り付けられる駆動用コイルと、駆動用コイルを構成する導線の端部が電気的に接続されるフレキシブルプリント基板とを備え、フレキシブルプリント基板の一端側は、可動体側に固定される可動体側固定部であり、フレキシブルプリント基板の他端側と可動体側固定部とを繋ぐ接続部は、光軸方向に折り返されて引き回されていることを特徴とする。
【０００８】
本発明のレンズ駆動装置では、駆動用コイルを構成する導線の端部がフレキシブルプリント基板に接続されている。そのため、上述した特許文献１に記載のレンズ駆動装置のように、導線の端部をバネ部材に接続する必要がない。したがって、本発明では、バネ部材が小型化、薄型化する場合であっても、レンズ駆動装置の組立時におけるバネ部材の変形を防止することが可能になる。
【０００９】
また、本発明では、フレキシブルプリント基板の一端側となる可動体側固定部とフレキシブルプリント基板の他端側とを繋ぐ接続部は、光軸方向に折り返されて引き回されている。したがって、本発明では、フレキシブルプリント基板の他端側に対して可動体側固定部を光軸方向へ相対移動させやすくなる。その結果、本発明では、フレキシブルプリント基板が使用されていても、フレキシブルプリント基板が可動体の光軸方向への移動の支障となる可能性を低減することが可能になる。
【００１０】
このように、本発明では、バネ部材が小型化、薄型化する場合であっても、レンズ駆動装置の組立時におけるバネ部材の変形を防止することが可能になり、かつ、フレキシブルプリント基板が使用されていても、フレキシブルプリント基板が可動体の光軸方向への移動の支障となる可能性を低減することが可能になる。したがって、本発明では、バネ部材が小型化、薄型化する場合であっても、可動体を光軸方向へ適切に移動させることが可能になる。
【００１１】
本発明において、接続部が可動体側固定部からレンズ駆動装置の被写体側に伸びるように引き回された後に、曲面状に略１８０°で１回折り返されて、フレキシブルプリント基板の他端側がレンズ駆動装置の反被写体側へ引き回されていることが好ましい。レンズ駆動装置が搭載されるカメラでは、一般的に、反被写体側に撮像素子や回路基板が配置されているため、フレキシブルプリント基板の他端側を反被写体側に引き回す必要がある。したがって、このように構成すると、接続部の折り返し回数を最小にすることができ、フレキシブルプリント基板の他端側に対して可動体側固定部を光軸方向へより相対移動させやすくなる。その結果、フレキシブルプリント基板が可動体の光軸方向への移動の支障となる可能性を効果的に低減することが可能になる。
【００１２】
本発明において、接続部は、曲面状に略１８０°で折り返される単数または複数の屈曲部を備え、屈曲部の幅の総和は、可動体側固定部の幅および／またはフレキシブルプリント基板の他端側の幅よりも狭いことが好ましい。このように構成すると、屈曲部において、接続部が折れ曲がりやすくなるため、フレキシブルプリント基板の他端側に対して可動体側固定部を光軸方向へより相対移動させやすくなる。したがって、フレキシブルプリント基板が可動体の光軸方向への移動の支障となる可能性を効果的に低減することが可能になる。
【００１３】
本発明において、接続部は、複数個の分割接続部によって構成されていることが好ましい。このように構成すると、フレキシブルプリント基板に接続される導線の本数が多くなり、接続部の幅を広くする必要が生じる場合であっても、接続部を折り返す際にフレキシブルプリント基板に生じる応力を分散させることが可能になる。したがって、フレキシブルプリント基板の他端側に対して可動体側固定部を光軸方向へより相対移動させやすくなり、フレキシブルプリント基板が可動体の光軸方向への移動の支障となる可能性を効果的に低減することが可能になる。
【００１４】
本発明において、可動体は、駆動用コイルが取り付けられる略筒状のコイル取付部材を備え、可動体側固定部は、コイル取付部材の外周側に固定され、導線の端部は、可動体側固定部に接続されていることが好ましい。このように構成すると、光軸方向への可動体の移動に伴って、可動体側固定部と導線の端部とが一緒に光軸方向へ移動する。したがって、フレキシブルプリント基板と導線の端部との接続部分に応力が生じるのを防止することが可能になり、断線を防止することが可能になる。また、このように構成すると、可動体側固定部がコイル取付部材の外周側に固定されているため、光軸方向において、レンズ駆動装置を小型化することが可能になる。
【００１５】
本発明において、固定体は、レンズ駆動装置の側面の少なくとも一部を構成するケース体と、フレキシブルプリント基板の他端側に形成される電極部に接触する端子と、レンズ駆動装置の反被写体側に配置されるとともに端子が取り付けられる端子取付部材とを備え、ケース体の内周面と端子取付部材の外周面との間で、電極部と端子とが電気的に接続されていることが好ましい。このように構成すると、ケース体によって、電極部と端子との接続部分を保護することが可能になる。
【００１６】
本発明において、たとえば、駆動機構は、略柱状に形成される４個の駆動用磁石と、略筒状に巻回されて形成される４個の駆動用コイルとを備え、駆動用磁石は、その長手方向が光軸方向と略平行になるように配置されるとともに、光軸方向から見たときに互いに重ならないように配置され、４個の駆動用コイルのそれぞれは、その内周面が４個の駆動用磁石の外周面のそれぞれと所定の隙間を介して対向するように配置され、駆動用磁石は、駆動用コイルとの対向位置で駆動用コイルを通過する磁束が発生するように着磁されている。この場合には、駆動用磁石の全周および駆動用コイルの全周を利用して可動体を駆動するための磁気回路を効率良く形成することが可能になる。したがって、駆動用磁石および駆動用コイルを小型化しても可動体を駆動するための所定の駆動力を得ることが可能になる。
【００１７】
本発明において、レンズ駆動装置は、光軸方向から見たときの形状が略四角形状となる略四角柱状に形成され、駆動用磁石および駆動用コイルは、レンズ駆動装置の四隅に配置され、フレキシブルプリント基板の少なくとも一部は、レンズ駆動装置の周方向で隣り合う駆動用磁石および駆動用コイルの間に配置されていることが好ましい。このように構成すると、デッドスペースとなりやすいレンズ駆動装置の四隅に駆動用磁石および駆動用コイルを配置することができる。また、デッドスペースとなりやすい周方向で隣り合う駆動用磁石および駆動用コイルの間にフレキシブルプリント基板を配置することが可能になる。したがって、レンズ駆動装置を小型化することが可能になる。
【００１８】
本発明において、４個の駆動用コイルのそれぞれは、４本の導線のそれぞれが巻回されて形成されていることが好ましい。このように構成すると、４個の駆動用磁石と４個の駆動用コイルとの間のそれぞれに生じる駆動力の大きさを変えることで、レンズの光軸の傾きを補正することが可能になる。したがって、レンズの光軸の傾きを適切に補正することで、レンズの光軸の傾きを抑制することが可能になる。
【００１９】
なお、この場合には、駆動用コイルを構成する導線の端部の数が８個になるため、特許文献１に記載のレンズ駆動装置のように、板バネに導線の端部が接続されている場合には、板バネを８個のバネ片に分割する必要がある。これに対して、本発明では、フレキシブルプリント基板に導線の端部が接続されるため、導線の端部の数が増えても、バネ部材を多数に分割する必要がない。
【００２０】
本発明において、たとえば、４個の駆動用コイルは、１本の導線が順次巻回されて形成されても良い。また、本発明において、たとえば、４個の駆動用コイルのうちの２個の駆動用コイルは、１本の導線が順次巻回されて形成され、残りの２個の駆動用コイルは、他の１本の導線が順次巻回されて形成されても良い。
【００２１】
本発明において、たとえば、駆動機構は、略筒状に形成されるコイル取付部材の外周面に巻回される駆動用コイルと、駆動用コイルの外周面に対向するように配置される駆動用磁石とを備えている。
【００２２】
本発明において、レンズ駆動装置は、光軸方向に略直交する所定の第１方向へ可動体を駆動するための第２の駆動機構と、光軸方向と第１方向とに略直交する第２方向へ前記可動体を駆動するための第３の駆動機構とを備え、第２の駆動機構は、可動体側に取り付けられる第２の駆動用コイルを備え、第３の駆動機構は、可動体側に取り付けられる第３の駆動用コイルを備え、フレキシブルプリント基板には、第２の駆動用コイルを構成する導線の端部と、第３の駆動用コイルを構成する導線の端部とが接続されていることが好ましい。このように構成すると、第２の駆動機構および第３の駆動機構を用いて、光軸方向に略直交する方向へレンズを駆動することができる。したがって、光軸方向に略直交する方向へレンズを駆動することで、レンズ駆動装置が搭載されるカメラで撮影が行われる際の振れを補正することが可能になる。
【００２３】
なお、このように構成されていると、特許文献１に記載のレンズ駆動装置のように、板バネに導線の端部が接続されている場合には、駆動用コイルの導線の端部、第２の駆動用コイルの導線の端部および第３の駆動用コイルの導線の端部を板バネに接続する必要があるため、板バネを多数のバネ片に分割する必要がある。これに対して、本発明では、フレキシブルプリント基板に導線の端部が接続されるため、導線の端部の数が増えても、バネ部材を多数に分割する必要がない。
【発明の効果】
【００２４】
以上のように、本発明のレンズ駆動装置では、レンズを保持する移動体と移動体を保持する固定体とを繋ぐバネ部材が小型化、薄型化する場合であっても、可動体を光軸方向へ適切に移動させることが可能になる。
【図面の簡単な説明】
【００２５】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図２に示す駆動用磁石および駆動用コイルの配置関係を説明するための斜視図である。
【図５】図４に示す駆動用磁石および駆動用コイルの側面図である。
【図６】図５のＧ−Ｇ方向から駆動用磁石片および駆動用コイルを示す図である。
【図７】図３に示す駆動用コイルが取り付けられた状態のスリーブおよび端子が取り付けられた状態の第２ケース体を示す斜視図である。
【図８】図７に示すフレキシブルプリント基板の詳細な構成およびフレキシブルプリント基板と端子との接続関係を説明するための斜視図である。
【図９】本発明の他の実施の形態にかかるレンズ駆動装置の概略構成を説明するための平面図である。
【図１０】本発明の他の実施の形態にかかるレンズ駆動装置の概略構成を説明するための平面図である。
【図１１】本発明の他の実施の形態にかかるフレキシブルプリント基板の構成を説明するための斜視図である。
【発明を実施するための形態】
【００２６】
以下、図面を参照しながら、本発明の実施の形態を説明する。
【００２７】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図２に示す駆動用磁石１７および駆動用コイル１８の配置関係を説明するための斜視図である。図５は、図４に示す駆動用磁石１７および駆動用コイル１８の側面図である。図６は、図５のＧ−Ｇ方向から駆動用磁石片２４および駆動用コイル１８を示す図である。
【００２８】
本形態のレンズ駆動装置１は、携帯電話等で使用される比較的小型のカメラに搭載されるものであり、図１に示すように、全体として略四角柱状に形成されている。すなわち、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。
【００２９】
本形態のレンズ駆動装置１が搭載されるカメラでは、図２の下側（すなわち、Ｚ２方向側）に図示を省略する撮像素子や回路基板等が配置されており、図２の上側（すなわち、Ｚ１方向側）に配置される被写体が撮影される。したがって、以下の説明では、Ｚ１方向側を被写体側（物体側）、Ｚ２方向側を反被写体側（撮像素子側、像側）とする。また、以下の説明では、光軸Ｌに直交するとともに互いに直交する２方向をＸ方向、Ｙ方向とする。本形態では、レンズ駆動装置１の４つの側面は、Ｘ方向またはＹ方向と平行になっている。
【００３０】
レンズ駆動装置１は、図１〜図３に示すように、撮影用のレンズを保持し光軸方向へ移動可能な可動体２と、可動体２を光軸方向へ移動可能に保持する固定体３と、可動体２を光軸方向へ駆動するための駆動機構４と、可動体２と固定体３とを繋ぐバネ部材としての板バネ５、６とを備えている。なお、図２では、板バネ５、６の図示を省略している。
【００３１】
可動体２は、複数のレンズが固定されたレンズホルダ７を保持するスリーブ８を備えている。レンズホルダ７は、略円筒状に形成されており、その内周側に複数のレンズが固定されている。スリーブ８は、筒状に形成されており、その内周側でレンズホルダ７を保持している。なお、図３では、レンズホルダ７の図示を省略している。
【００３２】
固定体３は、被写体側に配置される第１ケース体１１と、反被写体側に配置される第２ケース体１２とを備えている。
【００３３】
第１ケース体１１は、磁性材料で形成されるとともに、底部１１ａと筒部１１ｂとを有する底付きの略四角筒状に形成されている。被写体側に配置される底部１１ａの中心には、円形の貫通孔１１ｃが形成されている。第１ケース体１１は、可動体２および駆動機構４の外周側を囲むように配置されており、被写体側におけるレンズ駆動装置１の側面を構成している。本形態の第１ケース体１１は、レンズ駆動装置１の側面の少なくとも一部を構成するケース体である。
【００３４】
第２ケース体１２は、たとえば、樹脂材料で形成されるとともに、略四角筒状に形成されている。第２ケース体１２には、図３に示すように、金属製の端子１３が圧入等によって取り付けられている。具体的には、第２ケース体１２の１つの側面に２個の端子１３が隣接するように取り付けられている。第２ケース体１２は、レンズホルダ７の反被写体側の外周側等を覆うように、第１ケース体１１の反被写体側に取り付けられている。本形態の第２ケース体１２は、レンズ駆動装置１の反被写体側に配置されるとともに端子１３が取り付けられる端子取付部材である。
【００３５】
板バネ５は、スリーブ８に固定されるスリーブ固定部と、第１ケース体１１に固定されるケース体固定部と、スリーブ固定部とケース体固定部とを繋ぐバネ部とから構成され、可動体２の被写体側に配置されている。スリーブ固定部は、スリーブ８の被写体側の端面に固定されている。ケース体固定部は、略矩形の枠状に形成されたスペーサ１４を介して第１ケース体１１の底部１１ａの反被写体側の面に固定されている。
【００３６】
板バネ６は、スリーブ８に固定されるスリーブ固定部と、第２ケース体１２に固定されるケース体固定部と、スリーブ固定部とケース体固定部とを繋ぐバネ部とから構成され、可動体２の反被写体側に配置されている。スリーブ固定部は、スリーブ８の反被写体側の端面に固定されている。ケース体固定部は、第２ケース体１２の被写体側に形成される固定面に固定されている。
【００３７】
駆動機構４は、図２〜図５に示すように、レンズ駆動装置１の四隅（具体的には、第１ケース体１１の内側の四隅）に配置される略三角柱状の４個の駆動用磁石１７と、略三角筒状に巻回され、その内周側が駆動用磁石１７の外周面と所定の隙間を介して対向配置される４個の駆動用コイル１８と、駆動用コイル１８を構成する後述の導線３０の端部が電気的に接続される１本のフレキシブルプリント基板（ＦＰＣ（Ｆｌｅｘｉｂｌｅ  ｐｒｉｎｔｅｄ  ｃｉｒｃｕｉｔｓ））２１とを備えている。
【００３８】
駆動用磁石１７は、その長手方向が光軸方向と略平行になるように配置されている。この駆動用磁石１７は、光軸方向で重なるように配置される略三角柱状の２個の駆動用磁石片２３、２４と、駆動用磁石片２３、２４の間に配置される磁性板２５とを備えている。本形態では、駆動用磁石片２３が被写体側に配置され、駆動用磁石片２４が反被写体側に配置されており、駆動用磁石片２３の反被写体側の端面と磁性板２５の被写体側の面とが固定され、駆動用磁石片２４の被写体側の端面と磁性板２５の反被写体側の面とが固定されている。
【００３９】
駆動用磁石片２３、２４は、光軸方向から見たときの形状が略直角二等辺三角形となるように形成されており、駆動用磁石片２３、２４は、光軸方向から見たときに、その斜辺を除く２辺が第１ケース体１１の筒部１１ｂの内周面と略平行になるように配置されている。すなわち、光軸方向から見たときに、対角線上に配置される駆動用磁石片２３、２４の斜辺同士が互いに対向するように、駆動用磁石片２３、２４が配置されている。磁性板２５は、磁性材料で形成されている。この磁性板２５は、光軸方向から見たときの形状が駆動用磁石片２３、２４と同様の略直角二等辺三角形状となる平板状に形成されている。
【００４０】
駆動用磁石片２３は、第１ケース体１１の底部１１ａに固定されている。具体的には、駆動用磁石片２３の被写体側の端面が、底部１１ａの反被写体側の面に固定されている。４個の駆動用磁石片２４の反被写体側の端面には、磁性材料で形成された平板状の磁性板２６が固定されている。磁性板２６は、略四角枠状に形成されている。また、磁性板２６の外周面は、第１ケース体１１の筒部１１ｂの内周面に当接している。
【００４１】
駆動用コイル１８は、光軸方向から見たときの形状が略直角二等辺三角形状となるように巻回されて形成されている。４個の駆動用コイル１８は、スリーブ８の外周面に固定されている。具体的には、４個の駆動用コイル１８の内周面のそれぞれと４個の駆動用磁石１７の外周面のそれぞれとが所定の隙間を介して略平行になるように、光軸Ｌを中心にして略９０°ピッチで４個の駆動用コイル１８がスリーブ８の外周面に固定されており、駆動用コイル１８は、第１ケース体１１の内側の四隅に配置されている。駆動用コイル１８は、第１ケース体１１の内周面との間に所定の隙間を保った状態で、第１ケース体１１の内側の四隅に配置されており、スリーブ８とともに光軸方向へ移動可能となっている。なお、本形態のスリーブ８は、駆動用コイル１８が取り付けられるコイル取付部材である。
【００４２】
本形態では、駆動用コイル１８の反被写体側端が、駆動用磁石片２４の被写体側端よりも被写体側へ移動することがなく、かつ、駆動用コイル１８の被写体側端が、駆動用磁石片２３の反被写体側端よりも反被写体側へ移動することがないように、駆動用磁石１７および駆動用コイル１８が形成され、配置されている。
【００４３】
図２、図５に示すように、駆動用磁石１７を構成する２個の駆動用磁石片２３、２４は、光軸方向において、同じ磁極同士（Ｓ極とＳ極、あるいは、Ｎ極とＮ極）が対向するように配置されている。すなわち、駆動用磁石片２３、２４同士の対向面は、いずれも同じ磁極に着磁されている。たとえば、駆動用磁石片２３、２４同士の対向面はいずれもＳ極に着磁されている。そのため、駆動用磁石片２３、２４の間には、図５、図６の矢印のように、駆動用コイル１８の三面を通過する磁束が発生している。すなわち、駆動用磁石１７は、駆動用コイル１８との対向位置で駆動用コイル１８を通過する磁束が発生するように着磁されている。
【００４４】
ここで、本形態では、４個の駆動用コイル１８のそれぞれは、４本の導線３０（図８参照）のそれぞれが巻回されて形成されている。すなわち、１本の導線３０によって１個の駆動用コイル１８が形成されている。また、本形態では、上述のように、導線３０の端部がＦＰＣ２１に電気的に接続されている。以下、ＦＰＣ２１の詳細な構成およびＦＰＣ２１の引き回しについて説明する。
【００４５】
なお、４個の駆動用コイル１８のそれぞれを駆動用コイル１８Ａ〜１８Ｄとすると、駆動用コイル１８Ａ〜１８Ｄは、図４に示すように、たとえば、光軸Ｌを中心とするレンズ駆動装置１の周方向において、時計回りにこの順番で配置されている。また、４本の導線３０のそれぞれを導線３０Ａ〜３０Ｄとすると、たとえば、導線３０Ａによって駆動用コイル１８Ａが構成され、導線３０Ｂによって駆動用コイル１８Ｂが構成され、導線３０Ｃによって駆動用コイル１８Ｃが構成され、導線３０Ｄによって駆動用コイル１８Ｄが構成されている。
【００４６】
（フレキシブルプリント基板の構成および引き回し）
図７は、図３に示す駆動用コイル１８が取り付けられた状態のスリーブ８および端子１３が取り付けられた状態の第２ケース体１２を示す斜視図である。図８は、図７に示すＦＰＣ２１の詳細な構成およびＦＰＣ２１と端子１３との接続関係を説明するための斜視図である。
【００４７】
ＦＰＣ２１は、可動体２を構成するスリーブ８に固定される１個の可動体側固定部２１ａと、固定体３を構成する第１ケース体１１に固定される１個の固定体側固定部２１ｂと、可動体側固定部２１ａと固定体側固定部２１ｂとを繋ぐ１本の接続部２１ｃとを備えている。本形態では、可動体側固定部２１ａによってＦＰＣ２１の一端側が構成され、固定体側固定部２１ｂによってＦＰＣ２１の他端側が構成されている。
【００４８】
また、本形態では、図８に示すように、接続部２１ｃの幅は、可動体側固定部２１ａの幅および固定体側固定部２１ｂの幅よりも狭くなっており、接続部２１ｃによって、可動体側固定部２１ａの幅方向の略中心位置と、固定体側固定部２１ｂの幅方向の略中心位置とが繋がれている。また、可動体側固定部２１ａの幅は、固定体側固定部２１ｂの幅よりも狭くなっている。
【００４９】
可動体側固定部２１ａには、導線３０の端部が電気的に接続される導線接続部２１ｄが形成されている。すなわち、導線３０の端部は、可動体側固定部２１ａに固定されている。上述のように、本形態では、４本の導線３０のそれぞれが巻回されて４個の駆動用コイル１８が形成されている。そのため、可動体側固定部２１ａには、８個の導線固定部２１ｄが形成されており、それぞれの導線固定部２１ｄに、４本の導線３０の両端部のそれぞれが半田付けや接着等によって固定されている。また、固定体側固定部２１ｂには、端子１３に電気的に接続される電極部２１ｅが形成されている。
【００５０】
可動体側固定部２１ａは、スリーブ８の外周面に固定されている。たとえば、図７に示すように、スリーブ８の外周面の、Ｙ方向における略中心位置に可動体側固定部２１ａが固定されており、可動体側固定部２１ａは、レンズ駆動装置１の周方向で隣り合う２個の駆動用コイル１８の間（図７に示す例では、駆動用コイル１８Ａと駆動用コイル１８Ｂとの間）に配置されている。
【００５１】
固定体側固定部２１ｂは、第１ケース体１１の筒部１１ｂの内周面に固定されている。具体的には、図８に示すように、電極部２１ｅと端子１３とが接触して電気的に接続されるように、固定体側固定部２１ｂは、筒部１１ｂの内周面の下端側に固定されており、筒部１１ｂの内周面と第２ケース体１２の外周面との間に配置されている。また、固定体側固定部２１ｂは、たとえば、筒部１１ｂの、Ｙ方向における略中心位置に固定されており、ＦＰＣ２１は、レンズ駆動装置１の周方向で隣り合う駆動用磁石１７および駆動用コイル１８の間に配置されている。なお、電極部２１ｅと端子１３とは半田付けや接着等によって互いに固定されても良いし、電極部２１ｅと端子１３とを固定せずに、端子１３の弾性変形を利用して、電極部２１ｅと端子１３とを接触させても良い。
【００５２】
接続部２１ｃは、光軸方向に折り返されて引き回されている。具体的には、接続部２１ｃは、可動体側固定部２１ａから被写体側に向かって伸びるように引き回された後に、被写体側において曲面状に略１８０°で１回折り返されている。また、接続部２１ｃが被写体側において曲面状に略１８０°で１回折り返されることで、固定体側固定部２１ｂが反被写体側へ引き回されている。接続部２１ｃの被写体側において略１８０°で曲面状に折り返された部分は、屈曲部２１ｆとなっている。
【００５３】
（本形態の主な効果）
以上説明したように、本形態では、駆動用コイル１８を構成する導線３０の端部がＦＰＣ２１に接続されている。そのため、上述した特許文献１に記載のレンズ駆動装置のように、導線３０の端部を板バネ６に接続する必要がない。したがって、本形態では、板バネ６が小型化、薄型化する場合であっても、レンズ駆動装置１の組立時における板バネ６の変形を防止することが可能になる。
【００５４】
また、本形態では、ＦＰＣ２１の接続部２１ｃは、光軸方向に折り返されて引き回されている。したがって、可動体２に固定される可動体側固定部２１ａを固定体３に固定される固定体側固定部２１ｂに対して光軸方向へ相対移動させやすくなる。その結果、本形態では、ＦＰＣ２１が使用されていても、ＦＰＣ２１が可動体２の光軸方向への移動の支障となる可能性を低減することが可能になる。
【００５５】
このように、本形態では、レンズ駆動装置１の組立時における板バネ６の変形を防止することが可能になり、かつ、ＦＰＣ２１が使用されていても、ＦＰＣ２１が可動体２の光軸方向への移動の支障となる可能性を低減することが可能になる。したがって、本形態では、可動体２を光軸方向へ適切に移動させることが可能になる。
【００５６】
特に本形態では、接続部２１ｃが可動体側固定部２１ａから被写体側に伸びるように引き回された後に、曲面状に略１８０°で１回折り返されて、固定体側固定部２１ｂが反被写体側へ引き回されている。そのため、接続部２１ｃを１回折り返すだけで、撮像素子や回路基板等が配置される反被写体側に固定体側固定部２１ｂを引き回すことができる。すなわち、本形態では、接続部２１ｃの折り返し回数を最小にすることができ、固定体側固定部２１ｂに対して可動体側固定部２１ａを光軸方向へより相対移動させやすくなる。
【００５７】
また、本形態では、接続部２１ｃの幅は、可動体側固定部２１ａの幅および固定体側固定部２１ｂの幅よりも狭くなっている。すなわち、屈曲部２１ｆの幅は、可動体側固定部２１ａの幅および固定体側固定部２１ｂの幅よりも狭くなっている。したがって、本形態では、屈曲部２１ｆにおいて、接続部２１ｃが折れ曲がりやすくなり、固定体側固定部２１ｂに対して可動体側固定部２１ａを光軸方向へより相対移動させやすくなる。
【００５８】
また、本形態では、導線３０の端部を板バネ６に接続する必要がないため、板バネ６を分割する必要がない。したがって、本形態では、板バネ６が小型化、薄型化する場合であっても、レンズ駆動装置１の組立時の板バネ６の取り扱いが容易になる。また、板バネ６を分割する必要がないため、板バネ６の剛性を高めることが可能になる。また、導線３０の端部が板バネ６に接続されていないため、レンズ駆動装置１に振動や衝撃が加わって板バネ６と第１ケース体１１とが接触しても、駆動用コイル１８が短絡することはない。
【００５９】
本形態では、可動体側固定部２１ａはスリーブ８の外周面に固定され、導線３０の端部は可動体側固定部２１ａに固定されている。そのため、光軸方向への可動体２の移動に伴って、可動体側固定部２１ａと導線３０の端部とが一緒に光軸方向へ移動する。したがって、ＦＰＣ２１と導線３０の端部との接続部分に伸縮応力が生じるのを防止することが可能になり、断線を防止することが可能になる。また、可動体側固定部２１ａがスリーブ８の外周側に固定されているため、光軸方向において、レンズ駆動装置１を小型化することが可能になる。
【００６０】
本形態では、第１ケース体１１の筒部１１ｂの内周面と第２ケース体１２の外周面との間で、ＦＰＣ２１の電極部２１ｅと端子１３とが電気的に接続されている。そのため、第１ケース体１１によって、電極部２１ｅと端子１３との接続部分を保護することが可能になる。
【００６１】
本形態では、略三角筒状に巻回された駆動用コイル１８の内周面が駆動用磁石１７の外周面と所定の隙間を介して対向配置され、かつ、駆動用磁石１７は、駆動用コイル１８との対向位置で駆動用コイル１８を通過する磁束が発生するように着磁されている。そのため、駆動用磁石１７の全周および駆動用コイル１８の全周を利用して可動体２を駆動するための磁気回路を効率良く形成することができる。したがって、駆動用磁石１７および駆動用コイル１８を小型化しても可動体２を駆動するための所定の駆動力を得ることができる。
【００６２】
本形態では、光軸方向から見たときの形状が略正方形状となるレンズ駆動装置１の四隅に略三角柱状の駆動用磁石１７および略三角筒状の駆動用コイル１８が配置されている。そのため、レンズ駆動装置１のデッドスペースとなりやすいレンズ駆動装置１の四隅に駆動用磁石１７および駆動用コイル１８を配置することができる。また、本形態では、ＦＰＣ２１は、レンズ駆動装置１の周方向で隣り合う駆動用磁石１７および駆動用コイル１８の間に配置されている。そのため、デッドスペースとなりやすい周方向で隣り合う駆動用磁石１７および駆動用コイル１８の間にＦＰＣ２１を配置することができる。したがって、本形態では、レンズ駆動装置１を小型化することが可能になる。
【００６３】
本形態では、４個の駆動用コイル１８のそれぞれは、４本の導線３０のそれぞれが巻回されて形成されている。そのため、４個の駆動用磁石１７と４個の駆動用コイル１８との間のそれぞれに生じる駆動力の大きさを変えることで、レンズの光軸Ｌの傾きを補正することが可能になる。また、レンズの光軸Ｌの傾きを適切に補正することで、レンズの光軸Ｌの傾きを抑制することが可能になる。
【００６４】
（他の実施の形態）
上述した形態は、本発明の好適な形態の一例ではあるが、これに限定されるものではなく本発明の要旨を変更しない範囲において種々変形実施が可能である。
【００６５】
上述した形態では、接続部２１ｃは、被写体側において曲面状に略１８０°で１回折り返されている。この他にもたとえば、接続部２１ｃは、被写体側および反被写体側において曲面状に略１８０°で複数回折り返されても良い。たとえば、接続部２１ｃが、可動体側固定部２１ａから反被写体側に向かって伸びるように引き回された後に、反被写体側において曲面状に略１８０°で折り返されて被写体側に向かって伸びるように引き回され、その後、被写体側において曲面状に略１８０°で折り返されて反被写体側に向かって伸びるように引き回されることで、固定体側固定部２１ｂが反被写体側へ引き回されても良い。すなわち、接続部２１ｃは、２回、折り返されても良い。また、接続部２１ｃは、３回以上折り返されても良い。
【００６６】
上述した形態では、レンズ駆動装置１は、可動体２を光軸方向へ駆動するための駆動機構４のみを備えている。この他にもたとえば、レンズ駆動装置１は、図９に示すように、可動体２をＸ方向へ駆動するための第２の駆動機構３１と、可動体２をＹ方向へ駆動するための第３の駆動機構３２とを備えていても良い。この場合には、たとえば、第２の駆動機構３１は、扁平な略矩形の空芯状に巻回されて形成されＸ方向におけるスリーブ８の外周面の略中心位置に固定される２個の駆動用コイル３３と、駆動用コイル３３に対向するように第１ケース体１１に固定される２個の駆動用磁石３４とを備えている。また、第３の駆動機構３２は、たとえば、扁平な略矩形の空芯状に巻回されて形成されＹ方向におけるスリーブ８の外周面の略中心位置に固定される２個の駆動用コイル３５と、駆動用コイル３５に対向するように第１ケース体１１に固定される２個の駆動用磁石３６とを備えている。また、駆動用コイル３３を構成する導線の端部および駆動用コイル３５を構成する導線の端部は、ＦＰＣ２１に接続されている。
【００６７】
この場合には、第２の駆動機構３１および第３の駆動機構３２を用いて、光軸方向に略直交する方向へレンズを駆動することができる。したがって、光軸方向に略直交する方向へレンズを駆動することで、レンズ駆動装置１が搭載されるカメラで撮影が行われる際の手振れ等の振れを補正することが可能になる。なお、この場合には、駆動用コイル３３は、第２の駆動機構３１を構成する第２の駆動用コイルであり、駆動用コイル３５は、第３の駆動機構３２を構成する第３の駆動用コイルである。
【００６８】
上述した形態では、駆動機構４は、レンズ駆動装置１の四隅に配置される略三角柱状の４個の駆動用磁石１７と、略三角筒状に巻回され、その内周側が駆動用磁石１７の外周面と所定の隙間を介して対向配置される４個の駆動用コイル１８とを備えている。この他にもたとえば、駆動機構４は、図１０に示すように、スリーブ８の外周面に巻回される駆動用コイル４８と、駆動用コイル４８の外周面に対向するように配置される駆動用磁石４７とを備えていても良い。すなわち、駆動機構４は、上述の特許文献１に記載のレンズ駆動装置のレンズの駆動機構と同様に構成されても良い。また、この場合には、図１０に示すように、レンズ駆動装置１は、第２の駆動機構３１および第３の駆動機構３２を備えていても良いし、第２の駆動機構３１および第３の駆動機構３２を備えていなくても良い。
【００６９】
上述した形態では、レンズ駆動装置１は、１本のＦＰＣ２１を備えている。この他にもたとえば、図９や図１０に示す駆動用コイル３３、３５を構成する導線の端部がＦＰＣ２１に接続される場合のように、ＦＰＣ２１に接続される導線の端部の数が多い場合には、レンズ駆動装置１が備えるＦＰＣ２１の数は、２本以上であっても良い。たとえば、レンズ駆動装置１が２本のＦＰＣ２１を備える場合には、ＦＰＣ２１の弾力（こしの強さ）が可動体２に与える影響を低減させるため、第１ケース体１１のＸ方向に平行な２個の側面の内側のそれぞれ、または、Ｙ方向に平行な２個の側面の内側のそれぞれに、ＦＰＣ２１が配置されることが好ましい。
【００７０】
上述した形態では、ＦＰＣ２１の他端側は、固定体３に固定される固定体側固定部２１ｂとなっている。この他にもたとえば、ＦＰＣ２１の他端側は、固定体３に固定されずに、そのまま、レンズ駆動装置１の反被写体側に引き出されても良い。この場合には、ＦＰＣ２１の他端側は、レンズ駆動装置１が搭載されるカメラの回路基板に接続される。なお、この場合には、レンズ駆動装置１に端子１３を設けなくても良い。
【００７１】
上述した形態では、接続部２１ｃの幅は、可動体側固定部２１ａの幅および固定体側固定部２１ｂの幅よりも狭くなっている。この他にもたとえば、接続部２１ｃの幅は、可動体側固定部２１ａの幅や固定体側固定部２１ｂの幅と同じであっても良い。また、上述した形態では、可動体側固定部２１ａの幅は、固定体側固定部２１ｂの幅よりも狭くなっているが、可動体側固定部２１ａの幅は、固定体側固定部２１ｂの幅と同じであっても良い。
【００７２】
上述した形態では、１本の接続部２１ｃによって、１個の可動体側固定部２１ａと１個の固定体側固定部２１ｂとが繋がれている。この他にもたとえば、図１１に示すように、２個の可動体側固定部２１ａと１個の固定体側固定部２１ｂとが、２本の分割接続部２１ｇによって構成される接続部２１ｃによって接続されても良い。すなわち、複数個の分割接続部２１ｇによって接続部２１ｃが構成されても良い。この場合には、接続部２１ｃの被写体側の２箇所に屈曲部２１ｆが形成される。また、この場合には、ＦＰＣ２１に接続される導線の数が多くなり、接続部２１ｃの幅を広くする必要が生じても、屈曲部２１ｆに生じる応力を分散させることが可能になる。
【００７３】
また、この場合であっても、複数個の分割接続部２１ｇの幅の総和は、固定体側固定部２１ｂの幅よりも狭いことが好ましい。すなわち、複数個の分割接続部２１ｇのそれぞれに形成される屈曲部２１ｆの幅の総和は、固定体側固定部２１ｂの幅よりも狭いことが好ましい。このように構成すると、屈曲部２１ｆにおいて、接続部２１ｃが折れ曲がりやすくなり、固定体側固定部２１ｂに対して可動体側固定部２１ａを光軸方向へより相対移動させやすくなる。
【００７４】
なお、可動体側固定部２１ａおよび接続部２１ｃが２個に分割されている場合には、たとえば、図９、図１０に示すように、駆動用コイル３３や駆動用コイル３５がスリーブ８の外周面に固定されていても、第２の駆動機構３１や第３の駆動機構３２を避けた位置に可動体側固定部２１ａおよび接続部２１ｃを配置できるため、スリーブ８の外周面に可動体側固定部２１ａを固定しやすくなり、かつ、接続部２１ｃを引き回しやすくなる。また、図１１に示す例では、２個の可動体側固定部２１ａと１個の固定体側固定部２１ｂとが２本の分割接続部２１ｇによって繋がれているが、１個の可動体側固定部２１ａと１個の固定体側固定部２１ｂとが２本の分割接続部２１ｇによって繋がれても良い。
【００７５】
上述した形態では、レンズ駆動装置１は、光軸方向から見たときの形状が略正方形状となるように形成されている。この他にもたとえば、レンズ駆動装置１は、光軸方向から見たときの形状が略長方形状や略台形状となるように形成されても良い。また、レンズ駆動装置１は、光軸方向から見たときの形状が略四角形状以外の略多角形状となるように形成されても良いし、光軸方向から見たときの形状が略円形状あるいは略楕円形状となるように形成されても良い。
【００７６】
上述した形態では、駆動用磁石１７は略三角柱状に形成されているが、駆動用磁石１７は略三角柱状以外の略多角柱状に形成されても良いし、略円柱状や略楕円柱状に形成されても良い。また、上述した形態では、駆動用コイル１８は略三角筒状に巻回されているが、駆動用コイル１８は略三角筒状以外の略多角筒状に巻回されても良いし、略円筒状や略楕円筒状に巻回されても良い。
【００７７】
上述した形態では、４個の駆動用コイル１８のそれぞれは、４本の導線３０のそれぞれが巻回されて形成されている。この他にもたとえば、４個の駆動用コイル１８は、１本の導線３０が順次巻回されて形成されても良い。また、４個の駆動用コイル１８のうちの２個の駆動用コイル１８は、１本の導線３０が順次巻回されて形成されるとともに、残りの２個の駆動用コイル１８は、他の１本の導線３０が順次巻回されて形成されても良い。
【符号の説明】
【００７８】
１  レンズ駆動装置
２  可動体
３  固定体
４  駆動機構
５、６  板バネ（バネ部材）
８  スリーブ（コイル取付部材）
１１  第１ケース体（ケース体）
１２  第２ケース体（端子取付部材）
１３  端子
１７、４７  駆動用磁石
１８（１８Ａ〜１８Ｄ）、４８  駆動用コイル
２１  ＦＰＣ（フレキシブルプリント基板）
２１ａ  可動体側固定部
２１ｂ  固定体側固定部（フレキシブルプリント基板の他端側）
２１ｃ  接続部
２１ｅ  電極部
２１ｆ  屈曲部
２１ｇ  分割接続部
３０（３０Ａ〜３０Ｄ）  導線
３１  第２の駆動機構
３２  第３の駆動機構
３３  駆動用コイル（第２の駆動用コイル）
３５  駆動用コイル（第３の駆動用コイル）
Ｌ  光軸
Ｘ  第１方向
Ｙ  第２方向
Ｚ１  被写体側
Ｚ２  反被写体側
【図１】
2011039426.tif 000003
【図２】
2011039426.tif 000004
【図３】
2011039426.tif 000005
【図４】
2011039426.tif 000006
【図５】
2011039426.tif 000007
【図６】
2011039426.tif 000008
【図７】
2011039426.tif 000009
【図８】
2011039426.tif 000010
【図９】
2011039426.tif 000011
【図１０】
2011039426.tif 000012
【図１１】
2011039426.tif 000013